(57)【特許請求の範囲】
【請求項１】
一次側の電圧を変換して二次側に出力する電圧変換器と、
直流電源から前記電圧変換器の一次側に流れる電流を制御するスイッチング素子と、
前記電圧変換器の二次側に出力された電圧であって平滑及び整流された電圧と基準電圧との誤差電圧を出力する誤差検知回路と、
前記誤差検知回路からの前記誤差電圧に応じて前記スイッチング素子をオンオフ制御して発振させる発振制御回路と、
前記スイッチング素子の動作モードであって前記スイッチング素子を間欠発振させる間欠発振モードと、前記スイッチング素子を連続発振させる連続発振モードとを切り替えるモード切替回路とを備え、
前記モード切替回路は、前記電圧変換器の二次側に接続された負荷の起動状態から前記起動状態よりも前記負荷の要する電流の量が少ない定常状態に移行するまでの期間は前記連続発振モードを維持するように構成されており、
前記負荷は、前記起動状態となる第１の期間において第１の負荷電流が流れ、前記第１の期間の次の期間である第２の期間において前記負荷には前記第１の負荷電流よりも少ない第２の負荷電流が流れ、前記第２の期間の次の期間であり、前記定常状態となる第３の期間において前記負荷には前記第１の負荷電流よりも少なく、かつ、前記第２の負荷電流よりも多い第３の負荷電流が流れる負荷である
ことを特徴とするスイッチング電源装置。
【請求項２】
前記負荷の動作を監視する監視回路をさらに備え、
前記モード切替回路は、前記監視回路が前記負荷の動作開始を検知すると、予め予測された前記負荷が動作を開始してから終了するまでの期間よりも長い所定期間にわたって前記連続発振モードに切り替えてから前記間欠発振モードに戻すことを特徴とする請求項１に記載のスイッチング電源装置。
【請求項３】
前記監視回路は、
前記電圧変換器の二次側に接続された前記負荷の動作開始を検知すると、トリガ信号を出力する動作開始検知回路を備え、
前記スイッチング電源装置は、
パルス信号が入力されると前記スイッチング素子の発振を停止させる発振停止回路をさらに備え、
前記モード切替回路は、前記トリガ信号が入力されると前記発振停止回路に前記パルス信号を出力することで前記間欠発振モードに切り替え、前記パルス信号を出力してから前記所定期間が経過すると前記パルス信号の出力を停止することで前記連続発振モードに切り替えることを特徴とする請求項２に記載のスイッチング電源装置。
【請求項４】
前記動作開始検知回路は、
前記電圧変換器の二次側に出力される電圧に含まれるリップルの周期を検知するリップル検知回路と、
前記リップル検知回路が検知した前記周期が所定周期より短くなると前記負荷が動作を開始したと判定する判定回路と
を備えることを特徴とする請求項３に記載のスイッチング電源装置。
【請求項５】
前記負荷は、シート束をステープルするためのステープラであることを特徴とする請求項４に記載のスイッチング電源装置。
【請求項６】
前記動作開始検知回路は、
前記負荷に通電される電流の値を検知する電流検知回路と、
前記電流検知回路が検知した前記電流の値が所定値より大きくなると前記負荷が動作を開始したと判定する判定回路と
を備えることを特徴とする請求項３に記載のスイッチング電源装置。
【請求項７】
前記負荷は、シートのせん断処理を行うためのシュレッダーであることを特徴とする請求項６に記載のスイッチング電源装置。
【請求項８】
前記動作開始検知回路は、
前記負荷である装置にシートが挿入されたことを検知すると前記トリガ信号を出力するシート検知回路を備えることを特徴とする請求項３に記載のスイッチング電源装置。
【請求項９】
前記負荷は、シート束に穿孔処理を行うためのパンチであることを特徴とする請求項８に記載のスイッチング電源装置。
【請求項１０】
請求項１ないし９のいずれか１項に記載のスイッチング電源装置と、
前記スイッチング電源装置から負荷として電流を受給するシート処理ユニットと
を備えたことを特徴とするシート処理装置。
【発明の詳細な説明】
【技術分野】
【０００１】
本発明は、スイッチング電源装置の制御技術に関するものである。
【背景技術】
【０００２】
自励式スイッチング電源（ＲＣＣ電源）は、単純な回路構成で比較的安価であるため、利用価値が高い。一般にＲＣＣ電源は熱設計の観点からＲＣＣ電源が搭載される機器に求められる最大負荷の状態において効率が最大となるように設計される。これは、ＲＣＣ電源は負荷が軽くなると効率が低下してしまうことを意味する。例えば、装置を駆動するためのＤＣブラシレスモータは起動時に大電流を消費し、待機時に非常に小さい電流だけを消費する。このように、最大負荷と最小負荷との差が顕著でかつ、最小負荷となる期間の長い駆動対象をＲＣＣ電源に接続すると、待機状態での電源効率が極めて低下する。
【０００３】
動作状態と待機状態とで負荷の変動幅が大きい装置に対しては、待機状態においてメインスイッチング素子の発振を停止できる擬似共振電源か、またはＣＰＵを備えた電源が必要となる。後者では、ＣＰＵが、電源の間欠発振および連続発振させるタイミングを負荷の駆動タイミングにより規定することになる。一方、前者の擬似共振電源には電源ＩＣが必要となる。電源ＩＣは、待機状態においても電力を必要とする。ＣＰＵも同様に待機状態においても電力が必要となる。さらに電源ＩＣやＣＰＵは高価な部品であるため、より、スイッチング電源の省エネルギー化、低コスト化の観点で問題となっていた。
【０００４】
そのため、電源ＩＣやＣＰＵを使用せず、かつ待機状態での効率を高める構成が求められる。特許文献１では、検知回路により二次側の出力電流を検知し、電流が少ない時は間欠発振を行い、電流が多い時は連続発振に切り替えるスイッチング電源が提案されている。特許文献１の発明では、電源ＩＣやＣＰＵが不要となるためコスト的に有利であり、待機時の効率低下も抑制される。
【先行技術文献】
【特許文献】
【０００５】
【特許文献１】特開２００２−１５３０５７号公報
【発明の概要】
【発明が解決しようとする課題】
【０００６】
ところで、特許文献１に記載の発明では、二次側に流れる電流を検知し、電流が多い期間だけ間欠発振モードから連続発振モードに切り替えている。そのため、特許文献１の発明では、次のような課題が存在する。たとえば、ＤＣブラシレスモータでは、起動してから回転数が規定回転数に達するとブレーキがかけられて消費電流が少なくなる軽負荷状態に移行する。その後、ＤＣブラシレスモータは、定常回転状態に移行する。定常回転状態で消費される電流は、起動時に必要となる電流（起動電流）よりも少ない。つまり、ＤＣブラシレスモータは、起動状態、ブレーキ状態、定常回転状態というように遷移する。問題なのは、ブレーキ状態において、電源が間欠発振モードに遷移してしまうことである。つまり、ブレーキ状態から定常回転状態に遷移する際に、間欠発振モードから連続発振モードに移行しなければならない。間欠発振モードは、連続発振モードに比べ電圧リップルが大きい。よって、定常回転数付近で回転数の収束制御を行っているときに電圧リップルが大きくなってしまうのである。このように、一旦、間欠発振モードに入ってしまうと、回転数の収束制御の初期に回転が安定しなくなったり、必要な電流を十分に供給できなくなったりする恐れがあった。
【０００７】
さらに、特許文献１に記載の電源では、モータ巻線のショートなどの回路故障が発生して電流が流れ続ける状態になると、連続発振が継続されてしまう。つまり、過電流検知回路などの異常検知回路が必要となる。
【０００８】
そこで、本発明は、連続発振モードと間欠発振モードとを備えたスイッチング電源装置において、負荷を起動してから定常状態に移行するまでの期間に間欠発振モードに遷移してしまうことを抑制することを目的とする。
【課題を解決するための手段】
【０００９】
本発明は、スイッチング電源装置として実現できる。スイッチング電源装置は、たとえば、一次側の電圧を変換して二次側に出力する電圧変換器と、直流電源から電圧変換器の一次側に流れる電流を制御するスイッチング素子と、電圧変換器の二次側に出力された電圧であって平滑及び整流された電圧と基準電圧との誤差電圧を出力する誤差検知回路と、誤差検知回路からの誤差電圧に応じてスイッチング素子をオンオフ制御して発振させる発振制御回路と、スイッチング素子の動作モードであってスイッチング素子を間欠発振させる間欠発振モードと、スイッチング素子を連続発振させる連続発振モードとを切り替えるモード切替回路とを備える。とりわけ、モード切替回路は、電圧変換器の二次側に接続された負荷の起動状態から起動状態よりも負荷の要する電流の量が少ない定常状態に移行するまでの期間は連続発振モードを維持することを特徴とする。とりわけ、前記負荷は、前記起動状態となる第１の期間において第１の負荷電流が流れ、前記第１の期間の次の期間である第２の期間において前記負荷には前記第１の負荷電流よりも少ない第２の負荷電流が流れ、前記第２の期間の次の期間であり、前記定常状態となる第３の期間において前記負荷には前記第１の負荷電流よりも少なく、かつ、前記第２の負荷電流よりも多い第３の負荷電流が流れる負荷である。
【発明の効果】
【００１０】
最大負荷と最小負荷との差が大きな負荷に電力を供給するスイッチング電源装置で、待機状態での電源効率の低下を抑制するためには、連続発振モードと間欠発振モードとを備えることが有効である。このような、連続発振モードと間欠発振モードとを備えたスイッチング電源装置では、負荷が起動した直後にスイッチング電源装置が連続発振モードから間欠発振モードに一旦遷移してしまいやすい。起動状態から定常状態へ遷移中の期間に間欠発振モードに移行してしまうと、スイッチング電源装置は、負荷に十分な電流を供給できなくなり、負荷の安定動作を阻害する可能性があった。一方、本発明のスイッチング電源装置は、負荷が起動状態から定常状態に移行するまでの期間は強制的に連続発振モードを維持する。そのため、負荷が起動した直後にスイッチング電源装置が連続発振モードから間欠発振モードに一旦遷移してしまうことを抑制できる。
【図面の簡単な説明】
【００１１】
【図１】本発明第１の実施例を最もよく表す自励式スイッチング電源および当該電源に接続された負荷の図である。
【図２】自励式スイッチング電源の各部位の電圧波形を示した図である。
【図３】本発明第１〜第３の実施例の電源における負荷への電流を示した図である。
【図４】自励式スイッチング電源の間欠発振を説明するための図である。
【図５】本発明第１の実施例の電源における負荷への出力電圧と、トリガ信号の出力状況と、電源状態の遷移を示したタイミングチャートである。
【図６】本発明第２の実施例を表す自励式スイッチング電源および当該電源に接続された負荷の図である。
【図７】本発明第２の実施例の電源における負荷への電流と、トリガ信号の出力状況と、電源状態の遷移を示したタイミングチャートである。
【図８】本発明第３の実施例を表す自励式スイッチング電源および当該電源に接続された負荷の図である。
【図９】本発明第３の実施例の電源における負荷への電流と、紙有無検知信号の遷移と、トリガ信号の出力状況と、電源状態の遷移を示したタイミングチャートである。
【発明を実施するための形態】
【００１２】
［実施例１］
図１（ａ）を用いて、実施例１における自励式のスイッチング電源１００について説明する。図１（ａ）において絶縁トランスＴ１０１は一次側の電圧を変換して二次側に出力する電圧変換器の一例である。絶縁トランスＴ１０１は一次巻線Ｌ１、二次巻線Ｌ２および一次側の補助巻線Ｌ３で構成されている。なお、絶縁トランスＴ１０１に代えて圧電素子などが電圧変換器として採用されてもよい。補助巻線Ｌ３は一次巻線Ｌ１と同極に、二次巻線Ｌ２は一次巻線Ｌ１と異極となるように接続される。ブリッジダイオードＤ１０１はＡＣ入力電圧を整流する整流回路である。電解コンデンサＣ１０１はブリッジダイオードＤ１０１にて整流された電圧を平滑化する平滑回路である。メインスイッチング素子Ｑ１０１は、商用電源、ブリッジダイオードＤ１０１および電解コンデンサＣ１０１により構成された直流電源から電圧変換器の一次側に流れる電流を制御するスイッチング素子である。メインスイッチング素子Ｑ１０１の電流流入端子は絶縁トランスＴ１０１の一次巻線Ｌ１の一端と接続されている。メインスイッチング素子Ｑ１０１の電流流出端子は当該直流電源のマイナス側に接続されている。メインスイッチング素子Ｑ１０１は、制御端子に入力された信号にしたがって絶縁トランスＴ１０１のオン／オフ制御を行う。スイッチング素子Ｑ１０２は、メインスイッチング素子Ｑ１０１のオン／オフを制御するスイッチング素子である。スイッチング素子Ｑ１０２の電流流入端子はメインスイッチング素子Ｑ１０１の制御端子と接続されている。スイッチング素子Ｑ１０２の電流流出端子は入力電圧Ｖｉｎのマイナス側に接続されている。
【００１３】
抵抗Ｒ１０１は入力電圧Ｖｉｎのプラス側とメインスイッチング素子Ｑ１０１の制御端子との間に挿入された起動抵抗である。抵抗Ｒ１０２はメインスイッチング素子Ｑ１０１の制御端子と入力電圧Ｖｉｎのマイナス側との間に接続されている。つまり、抵抗Ｒ１０１と抵抗Ｒ１０２とで構成される分圧回路によって入力電圧Ｖｉｎが分圧される。メインスイッチング素子Ｑ１０１がオンするのに十分な電圧となるように、分圧比が設定されている。
【００１４】
コンデンサＣ１０２および抵抗Ｒ１０３はメインスイッチング素子Ｑ１０１の制御端子と補助巻線Ｌ３の一次巻線Ｌ１との同極側との間に直列に接続されている。コンデンサＣ１０３は入力電圧Ｖｉｎのマイナス側とスイッチング素子Ｑ１０２の制御端子との間に接続されている。抵抗Ｒ１０４は補助巻線Ｌ３の一端とスイッチング素子Ｑ１０２の制御端子との間に接続されている。抵抗Ｒ１０４とコンデンサＣ１０３は時定数回路を構成する。スイッチング素子Ｑ１０２は、誤差検知回路からの誤差電圧に応じてスイッチング素子をオンオフ制御して発振させる発振制御回路の主要部である。
【００１５】
整流ダイオードＤ１０２は二次巻線Ｌ２の一次巻線Ｌ１との異極側にアノードが接続される整流用のダイオードである。電解コンデンサＣ１０４は整流ダイオードＤ１０２のカソードと二次巻線Ｌ２の一次巻線Ｌ１との同極側との間に接続される電圧平滑用のコンデンサである。
【００１６】
ステープラ１１０はスイッチング電源装置から負荷として電流を受給するシート処理ユニットの一例である。ステープラ１１０は二次側の整流および平滑された電圧（出力電圧Ｖｏｕｔ）が供給される負荷である。差動増幅器ＩＣ１０１は電圧変換器の二次側に出力された電圧であって平滑及び整流された電圧と基準電圧との誤差電圧を出力する誤差検知回路の一例である。差動増幅器ＩＣ１０１は抵抗Ｒ１０５と抵抗Ｒ１０６によって出力電圧Ｖｏｕｔを分圧した値と基準電圧とを比較して出力端子の電圧に変換する回路である。基準電圧はツェナーダイオードＺＤ１０１と抵抗Ｒ１０７とで生成される。抵抗Ｒ１１０およびコンデンサＣ１０５は差動増幅器ＩＣ１０１の反転入力端子と出力端子との間に直列に接続され、閉ループの利得および位相を調整する回路である。抵抗Ｒ１０８は差動増幅器ＩＣ１０１の出力端子に接続される電流制限用の抵抗である。
【００１７】
リップル検知回路１１１は負荷の動作を監視する監視回路の一例である。リップル検知回路１１１は出力電圧Ｖｏｕｔに接続され、ステープラ１１０へ供給される出力電圧Ｖｏｕｔに含まれるリップルの周期を検知する回路である。リップル検知回路１１１は、出力電圧Ｖｏｕｔのリップルの周期が所定閾値より短くなるとトリガ信号を出力する。時間設定回路１１３はステープラ１１０の動作開始から動作終了までの時間から予め設定された連続発振期間を保持する回路である。
【００１８】
モード切替回路１１２は、メインスイッチング素子Ｑ１０１の動作モードを切り替えるモード切替回路である。動作モードとしては、メインスイッチング素子Ｑ１０１を間欠発振する間欠発振モードと、メインスイッチング素子Ｑ１０１を連続発振する連続発振モードとがある。モード切替回路１１２は、負荷が動作を開始すると、時間設定回路１１３が設定した所定期間にわたってメインスイッチング素子Ｑ１０１を連続発振モードに切り替えてから間欠発振モードに戻す。つまり、モード切替回路１１２は、電圧変換器の二次側に接続された負荷が多量の電流を必要とする起動状態から起動状態での電流よりも少ない量の電流を必要とする定常状態に移行するまでの期間は連続発振モードを維持する。このように、モード切替回路１１２は、電圧変換器の二次側に接続された負荷の起動状態から起動状態よりも負荷の要する電流の量が少ない定常状態に移行するまでの期間は連続発振モードを維持する。なお、所定期間は、予め予測された負荷が動作を開始してから終了するまでの期間よりも長い期間である。モード切替回路１１２は、リップル検知回路１１１に接続されており、リップル検知回路１１１からトリガ信号を入力される。モード切替回路１１２は、負荷であるステープラ１１０が動作していない待機状態においてパルス信号を出力する。さらに、モード切替回路１１２は、トリガ信号を入力されると、時間設定回路１１３より設定された所定期間だけパルス信号を停止する。スイッチング素子Ｑ１０３は、モード切替回路１１２が出力するパルス信号に応じてオンオン動作する。スイッチング素子Ｑ１０３の制御端子はモード切替回路１１２と接続され、電流流出端子は出力電圧Ｖｏｕｔのマイナス側に接続されている。スイッチング素子Ｑ１０３の電流流入端子には電流制限用の抵抗Ｒ１０９が接続されている。
【００１９】
フォトカプラＰＣ１０１は二次側の出力電圧Ｖｏｕｔの変動を一次側に伝えるフィードバック回路の一部を形成している。フォトカプラＰＣ１０１は発光ダイオードとフォトトランジスタとを備えている。抵抗Ｒ１１１はフォトカプラＰＣ１０１が備えるフォトトランジスタに流れる電流を制限する抵抗である。フォトカプラＰＣ１０１のフォトトランジスタの電流流出端子はスイッチング素子Ｑ１０２の制御端子に接続されている。そのため、スイッチング素子Ｑ１０２のオン／オフ切り替え時間は、差動増幅器ＩＣ１０１の出力にしたがって制御される。フォトカプラＰＣ１０１はスイッチング素子Ｑ１０３がオンしている時には、差動増幅器ＩＣ１０１の出力とは無関係にスイッチング素子Ｑ１０２を強制的にオンさせる。
【００２０】
図１（ｂ）を用いて、リップル検知回路１１１の構成例について説明する。比較回路１１４は出力電圧Ｖｏｕｔと基準電圧Ｖｒｅｆとを比較している。出力電圧Ｖｏｕｔが基準電圧Ｖｒｅｆを下回ると、比較回路１１４はカウント開始信号を出力する。タイマー１１５は一定周期でパルス信号を出力する。カウンタ１１６はカウント開始信号をトリガとして、カウント値を０にリセットしてから、タイマー１１５が出力するパルスのカウントを開始する。リップル周期算出回路１１７は比較回路１１４が再度カウント開始信号を出力した時点のカウント値からリップル周期を算出する。カウント値とリップル周期との関係は予め数式化またはテーブル化されているものとする。トリガ出力回路１１８はリップル周期算出回路１１７により算出されたリップル周期が所定閾値より短くなるとトリガ信号を出力する。このように、リップル検知回路１１１は出力電圧Ｖｏｕｔのリップル周期を検知し、リップル周期が所定閾値よりも短くなるとトリガ信号を出力する。このように、比較回路１１４、タイマー１１５、カウンタ１１６およびリップル周期算出回路１１７は、電圧変換器の二次側に出力される電圧に含まれるリップルの周期を検知するリップル検知回路として機能する。また、トリガ出力回路１１８は、リップル検知回路が検知した周期が所定周期より短くなると負荷が動作を開始したと判定する判定回路として機能する。
【００２１】
図２を用いて各部の電圧波形と動作の関係を説明する。Ｖｇｓはメインスイッチング素子Ｑ１０１の制御端子電圧である。Ｖｄｓはメインスイッチング素子Ｑ１０１の電流流入端子と電流流出端子との端子間電圧である。Ｉｄはメインスイッチング素子Ｑ１０１に流れる電流である。ＶＬ２は二次巻線Ｌ２に発生する電圧である。Ｉｓは二次側の整流ダイオードＤ１０２に流れる電流である。ＶＬ３は補助巻線Ｌ３に発生する電圧である。図２に示した記号ＮＬ１、ＮＬ２およびＮＬ３は一次巻線Ｌ１、二次巻線Ｌ２、補助巻線Ｌ３それぞれの巻線数を示している。
【００２２】
メインスイッチング素子Ｑ１０１は起動抵抗Ｒ１０１と抵抗Ｒ１０２により分圧された電圧が制御端子に印加される。そのため、Ｖｇｓが上昇することでメインスイッチング素子Ｑ１０１は導通状態となる。メインスイッチング素子Ｑ１０１が導通状態となると、一次巻線Ｌ１に入力電圧Ｖｉｎが印加され、補助巻線Ｌ３に一次巻線Ｌ１と同極側を正とする電圧が誘起される。この時、二次巻線Ｌ２にも電圧が誘起される。この電圧は整流ダイオードＤ１０２のアノード側を負とする電圧であるため、二次巻線Ｌ２に電流Ｉｓは流れない。一次巻線Ｌ１を流れる電流Ｉｄは直線的に増加し、絶縁トランスＴ１０１には励磁電流の２乗に比例したエネルギーが蓄積される。図２が示すように、この励磁電流は時間に比例して増大する。メインスイッチング素子Ｑ１０１が導通状態であるため、Ｖｄｓは略零である。補助巻線Ｌ３に誘起された電圧によりコンデンサＣ１０２および抵抗Ｒ１０３を介してメインスイッチング素子Ｑ１０１の制御端子が充電され、さらに導通状態が継続する。
【００２３】
時定数回路を構成するコンデンサＣ１０３は補助巻線Ｌ３からの電荷で充電される。コンデンサＣ１０３の両端の電圧がスイッチング素子Ｑ１０２の閾値より高くなるとスイッチング素子Ｑ１０２が導通状態となる。これにより、メインスイッチング素子Ｑ１０１の制御端子電圧Ｖｇｓが低下し、メインスイッチング素子Ｑ１０１は非導通状態となる。この時、絶縁トランスＴ１０１の各巻線には起動時と逆極性の電圧が発生し、Ｖｄｓは入力電圧Ｖｉｎ、二次側の出力電圧Ｖｏｕｔの巻線比倍の電圧（Ｖｏｕｔ×ＮＬ２／ＮＬ１）およびサージ電圧を重畳した電圧となる。二次巻線Ｌ２には整流ダイオードＤ１０２のアノード側を正とする電圧が発生する。このため、絶縁トランスＴ１０１に蓄積されたエネルギーが整流および平滑され二次側に伝達される。電流Ｉｓは負の傾きで直線的に減少する。絶縁トランスＴ１０１に蓄えられているエネルギーが二次側に全て伝達されると、メインスイッチング素子Ｑ１０１は再び導通状態となり、継続して発振動作を行う。
【００２４】
再び導通状態となる理由は次の通りである。メインスイッチング素子Ｑ１０１が非導通状態になった直後は二次巻線Ｌ２に発生している電圧の巻線比分の電圧（Ｖｏｕｔ×ＮＬ３／ＮＬ２）が補助巻線Ｌ３に発生する。この電圧によってメインスイッチング素子Ｑ１０１の制御端子が負にバイアスされているが、二次側にエネルギーの伝達が終わると負のバイアスが徐々に低下する。このため、容量結合しているコンデンサＣ１０２から再びメインスイッチング素子Ｑ１０１の制御端子が正方向にバイアスされる。これにより、メインスイッチング素子Ｑ１０１は再び導通状態となる。このように、メインスイッチング素子Ｑ１０１は、動通状態と非動通状態とを繰り返すことで継続して発振する。この継続した発振を連続発振と呼ぶ。
【００２５】
コンデンサＣ１０３の電圧がスイッチング素子Ｑ１０２の制御端子の閾値電圧を超えると、メインスイッチング素子Ｑ１０１がオフする。つまり、発振の周波数はコンデンサＣ１０３への充電速度により決定される。このコンデンサＣ１０３への充電電流は抵抗Ｒ１０４の電流とフォトカプラＰＣ１０１のフォトトランジスタからの電流との和である。フォトカプラＰＣ１０１のフォトトランジスタ電流は二次側の差動増幅器ＩＣ１０１の出力に依存する。差動増幅器ＩＣ１０１の反転入力端子には出力電圧Ｖｏｕｔを抵抗Ｒ１０５およびＲ１０６にて分圧された値が入力される。非反転入力端子には基準電圧Ｖｒｅｆを作るための抵抗Ｒ１０７およびツェナーダイオードＺＤ１０１が接続されている。出力電圧Ｖｏｕｔが所望の値より大きくなると差動増幅器ＩＣ１０１の出力電圧は低くなる。出力電圧Ｖｏｕｔが所望の値より小さくなると差動増幅器ＩＣ１０１の出力電圧は高くなる。これにより、フォトカプラＰＣ１０１のフォトトランジスタの電流は出力電圧Ｖｏｕｔが高ければ大きく、出力電圧Ｖｏｕｔが低ければ小さくなる。従って、メインスイッチング素子Ｑ１０１のオン時間は出力電圧Ｖｏｕｔが高ければ短く、出力電圧Ｖｏｕｔが低ければ長くなり、出力電圧Ｖｏｕｔが一定になるよう動作する。
【００２６】
一定に保たれた出力電圧Ｖｏｕｔはステープラ１１０に供給されており、ステープラ１１０の駆動電源として使用される。ステープラ１１０は挿入されたシートの束を検知するシート検知回路と、挿入されたシートの束をステープルするステープル部を備えたシート処理置である。ステープル部は、ＤＣブラシレスモータを備えている。ＤＣブラシレスモータは、シート検知回路がシートを検知すると駆動してステープル動作を行う。
【００２７】
図３が示すように、時刻ｔ０でＤＣブラシレスモータが起動する。ＤＣブラシレスモータにはモータ起動時に非常に大きな電流が流れる。時刻ｔ１で、ＤＣブラシレスモータが規定回転数もしくは規定時間に達するとブレーキをかけるかまたは給電を停止する。つまり、時刻ｔ１でＤＣブラシレスモータは負荷電流が少ない軽負荷状態に移行する。時刻ｔ２で、ＤＣブラシレスモータは、定常回転状態に移行する。定常回転を維持するために起動電流より少ない電流をＤＣブラシレスモータは必要とする。時刻ｔ０にシート束が挿入されてから時刻ｔ３にステープル動作を終了するまでの時間Ｔは設計上あらかじめ定められている。つまり、この時間Ｔは予測可能な既知の時間である。時刻ｔ３でステープル動作を終了すると、ＤＣブラシレスモータは待機状態に遷移する。待機状態において、ＤＣブラシレスモータはほとんど電流を必要としない。
【００２８】
図１が示すように、ステープラ１１０にはリップル検知回路１１１が接続されている。リップル検知回路１１１は、ステープラ１１０の動作を監視しており、動作を開始したことを検知する。リップル検知回路１１１はステープラ１１０に入力される出力電圧Ｖｏｕｔのリップル周期を監視する。リップル検知回路１１１は、リップル周期が所定閾値よりも短くなると、ステープラ１１０が駆動を開始したと判定してトリガ信号を出力する。
【００２９】
図４（ａ）が示すように、モード切替回路１１２は、ステープラ１１０が駆動していない待機状態において、ＨＩ／ＬＯＷを繰り返すパルス信号を出力する。このパルス信号はスイッチング素子Ｑ１０３を定期的にオン／オフ制御する。スイッチング素子Ｑ１０３の制御端子がＨＩとなる期間では、フォトカプラＰＣ１０１の発光ダイオードには、差動増幅器ＩＣ１０１の出力とは関係なく抵抗Ｒ１０９で制限される電流が流れる。この電流は差動増幅器ＩＣ１０１が制御する電流に比べて充分に大きい。発光ダイオードが点灯することでこの電流がフォトカプラＰＣ１０１のフォトトランジスタに伝えられると、瞬時にコンデンサＣ１０３の電圧を上昇させる。これにより、スイッチング素子Ｑ１０２が導通状態となり、メインスイッチング素子Ｑ１０１が非導通状態となる。この状態を自励式スイッチング電源の発振周周期の例えば２〜２０倍くらいの期間にわたって継続すると、絶縁トランスＴ１０１のエネルギーが完全に放出される。これにより、自励式スイッチング電源の一次側は起動前と同じ状態に戻る。
【００３０】
ステープラ１１０は待機状態で小さな負荷であるため、出力電圧Ｖｏｕｔはほぼそのままの状態で維持される。スイッチング素子Ｑ１０３の制御端子がＨＩからＬＯＷに戻ると、フォトカプラＰＣ１０１の二次側の発光ダイオードに流れる電流もほぼ以前の状態に回復する。そのため、フォトカプラＰＣ１０１のフォトトランジスタ電流もほぼ以前の状態に回復する。抵抗Ｒ１０４によるフォトトランジスタ電流の電圧降下をスイッチング素子Ｑ１０２の閾値電圧よりも大きく設定した場合、スイッチング素子Ｑ１０２はオン状態を継続し、起動抵抗Ｒ１０１の電流はスイッチング素子Ｑ１０２に全て流れ込む。図４（ｃ）の発振停止期間に示すように、メインスイッチング素子Ｑ１０１はオンすることができず、自励式スイッチング電源は停止状態を継続する。
【００３１】
その後、時間経過に従い、負荷は電解コンデンサＣ１０４にたまった電荷を消費する。図４（ｂ）の発振停止期間に示すように、徐々に出力電圧Ｖｏｕｔは下がる。それに伴い、差動増幅器ＩＣ１０１の出力電圧は上昇し、フォトカプラＰＣ１０１のフォトトランジスタ電流は減少する。この電流による抵抗Ｒ１０４の電圧降下がスイッチング素子Ｑ１０２の閾値よりも小さくなると、起動抵抗Ｒ１０１からコンデンサＣ１０３に充電が行われ、メインスイッチング素子Ｑ１０１がオンする。その後、スイッチング電源が発振を始める。
【００３２】
図４（ｃ）が示すように、モード切替回路１１２が出力するパルス信号により、スイッチング電源１００は、絶縁トランスＴ１０１のエネルギーが完全に放出された発振停止状態と発振状態とを定期的に繰り返す。この発振と停止を繰り返すことを間欠発振と呼ぶ。ステープラ１１０が駆動していない待機時は上記間欠発振により効率を高める。
【００３３】
なお、間欠発振の周期（発振と停止の周期）は接続された負荷の重さにより変化する。負荷が軽い場合は出力電圧Ｖｏｕｔの低下が小さいので間欠発振の周期が長くなる。逆に負荷が重い場合は間欠発振の周期が短くなる。ステープラ１１０が待機状態にある場合はステープラ１１０の消費電流は少ない。また、間欠発振の周期が長いので、出力電圧Ｖｏｕｔのリップル周期も長くなる。一方、ステープラ１１０が待機状態から駆動状態に移行すると、消費電流が増大し、間欠発振の周期が短くなる。つまり、出力電圧Ｖｏｕｔのリップル周期も短くなる。そのため、リップル検知回路１１１は電圧リップル周期を監視することで、ステープラ１１０の動作開始を検知することができる。
【００３４】
図５が示すように、モード切替回路１１２は、トリガ信号が入力されると発振停止回路にパルス信号を出力することで間欠発振モードに切り替え、パルス信号を出力してから所定期間が経過するとパルス信号の出力を停止することで連続発振モードに切り替える。まず、時刻ｔ０でステープラ１１０が駆動を開始すると、出力電圧Ｖｏｕｔのリップル周期が短くなり始める。時刻ｔａでステープラ１１０への出力電圧Ｖｏｕｔのリップル周期が所定閾値よりも短くなり、リップル検知回路１１１はステープラ１１０が駆動を開始したと判定してモード切替回路１１２にトリガ信号を出力する。モード切替回路１１２はトリガ信号が入力されると、時間設定回路１１３により設定された期間Ｔにわたり、パルス信号の出力を停止する。時間設定回路１１３には、期間Ｔの値が保持されている。期間Ｔは、予測可能の時間であり、ステープラ１１０が駆動を開始したと判定された時刻ｔａからステープル動作が終了する時刻ｔｂまでの時間にマージンを加算して得られる時間である。つまり、期間Ｔは時刻ｔａから時刻ｔｃまでの期間である。期間Ｔにはマージンが加算されているため、ステープラ１１０が駆動を開始したと判定された時刻ｔａからステープル動作が終了する時刻ｔｂまでの期間よりも長い。
【００３５】
時刻ｔａで、モード切替回路１１２がパルス信号の出力を停止すると、スイッチング素子Ｑ１０３はオフ状態となる。これによりスイッチング電源１００は、間欠発振モードから連続発振モードへと切り替わる。スイッチング素子Ｑ１０３はパルス信号が入力されるとスイッチング素子の発振を停止させる発振停止回路の主要部である。スイッチング電源１００は連続発振モードに切り替わると重い負荷に対しても電流を供給することができるため、ステープラ１１０の継続駆動が可能となる。連続発振モードに切り替わってから、時間設定回路１１３により設定された期間Ｔが経過すると、モード切替回路１１２は、再びパルス信号を出力する。期間Ｔは、タイマーやカウンタなどの計時回路により計時することができる。この時、ステープラ１１０はすでに待機状態に遷移しているため、スイッチング電源１００は、間欠発振モードにおいても充分な電流を供給できる。
【００３６】
上述したように、最大負荷と最小負荷との差が大きな負荷に電力を供給するスイッチング電源装置で、待機状態での電源効率の低下を抑制するためには、連続発振モードと間欠発振モードとを備えることが有効である。このような、連続発振モードと間欠発振モードとを備えたスイッチング電源装置では、負荷が起動した直後にスイッチング電源装置が連続発振モードから間欠発振モードに一旦遷移してしまいやすい。起動状態から定常状態へ遷移中の期間に間欠発振モードに移行してしまうと、スイッチング電源装置は、負荷に十分な電流を供給できなくなり、負荷の安定動作を阻害する可能性があった。一方、本発明のスイッチング電源装置は、負荷が起動状態から定常状態に移行するまでの期間は強制的に連続発振モードを維持する。そのため、負荷が起動した直後にスイッチング電源装置が連続発振モードから間欠発振モードに一旦遷移してしまうことを抑制できる。
【００３７】
たとえば、実施例１のモード切替回路１１２は、監視回路が負荷の動作開始を検知すると、予め予測された負荷が動作を開始してから終了するまでの期間よりも長い所定期間にわたって連続発振モードに切り替えてから間欠発振モードに戻す。このため、ステープラ１１０が起動直後に間欠発振モードに移行してしまうことを抑制できる。具体的な回路構成は、電圧変換器の二次側に接続された負荷の動作開始を検知すると、トリガ信号を出力する動作開始検知回路や、パルス信号が入力されるとスイッチング素子の発振を停止させる発振停止回路を備えてもよい。モード切替回路１１２は、トリガ信号が入力されると発振停止回路にパルス信号を出力することで間欠発振モードに切り替え、パルス信号を出力してから所定期間が経過するとパルス信号の出力を停止することで連続発振モードに切り替える。よって、比較的に安価かつ簡単な回路構成により、負荷が起動状態から定常状態に移行するまでの期間において強制的に連続発振モードを維持することが可能となる。
【００３８】
このように、スイッチング電源１００は、ステープラ１１０が動作状態に移行したときに連続発振モードに切り替わることで大電流を供給できる。さらに、スイッチング電源１００は、負荷が動作を開始すると、負荷が動作を終了すると予測された時間までは連続発振モードを継続する。そのため、起動直後に間欠発振モードに切り替わってしまうことが抑制され、負荷を安定して立ち上げることが可能となる。さらに、実施例１では、負荷が待機状態に移行すると間欠発振モードに切り替わることで電源効率を改善できる。
【００３９】
［実施例２］
実施例２は、負荷がシュレッダーであるケースである。図６を用いて実施例２について説明する。なお、実施例２で実施例１と共通する部分には同一の参照符号を付与することで説明の簡潔化を図る。
【００４０】
シュレッダー６１０はスイッチング電源装置から負荷として電流を受給するシート処理ユニットの一例である。また、シュレッダー６１０はスイッチング電源１００から出力される出力電圧Ｖｏｕｔを供給される負荷の一例である。よく知られているように、シュレッダー６１０はシートなどの物体が挿入されたことを検知する検知センサを備えており、物体を検知するとＤＣブラシレスモータが駆動して物体をせん断する。図３に示したように、ＤＣブラシレスモータはモータ起動時に非常に大きな電流が流れる。ＤＣブラシレスモータは、所定条件が満たされるとブレーキをかけられるかまたは給電を停止され、重負荷状態から軽負荷状態に遷移する。その後、ＤＣブラシレスモータは、定常回転状態に遷移する。検知センサが物体を検知したタイミングからせん断処理が終了するタイミングまでの時間は設計上予測可能な時間である。切断処理後の待機状態では、シュレッダー６１０は、ほとんど電流を必要としない。
【００４１】
電流検知回路６１１は負荷の動作を監視する監視回路の一例である。また、電流検知回路６１１は電圧変換器の二次側に接続された負荷の動作開始を検知すると、トリガ信号を出力する動作開始検知回路の一例である。たとえば、電流検知回路６１１はシュレッダー６１０に流れる電流を検知する回路である。シュレッダー６１０に流れる電流は、検知抵抗Ｒ６１２によって電流から電圧に変換される。電流検知回路６１１は検知抵抗Ｒ６１２の両端の電圧を監視することで負荷に流れる電流の値を測定する。また、電流検知回路６１１は電流の測定値と所定閾値とを比較する比較回路を備え、測定値が閾値を超えるとトリガ信号を出力する。このように、電流検知回路６１１や検知抵抗Ｒ６１２は、負荷に通電される電流の値を検知する回路として機能するまた、電流検知回路６１１が備える比較回路は、検知した電流の値が所定値より大きくなると負荷が動作を開始したと判定する判定回路として機能する。本実施例では電流検知に検知抵抗を使用しているがこれに限るものではなく、電流の値を検知できるのであれば他の検知方法が採用されてもよい。時間設定回路６１３はシュレッダー６１０の動作開始から動作終了までの最長動作時間から予め決定された連続発振期間を保持している。最長動作時間は、例えば、シュレッダー６１０に挿入されることが想定されるシートのサイズのうち最大サイズ（例：Ａ３）から算出された値とする。モード切替回路６１２はシュレッダー６１０が動作していない待機状態ではパルス信号を出力し、スイッチング電源１００を間欠発振モードに遷移させる。また、モード切替回路６１２は電流検知回路６１１からトリガ信号を入力されると、時間設定回路６１３により設定された連続発振期間にわたってパルス信号の出力を停止することで、スイッチング電源１００を連続発振モードに遷移させる。
【００４２】
図７に示したタイミングチャートを参照しつつ、実施例２の動作を説明する。時刻ｔ０でシュレッダー６１０に紙が挿入されたことを物体検知回路が検知すると、ＤＣブラシレスモータが駆動を開始する。ＤＣブラシレスモータが駆動を開始すると、ＤＣブラシレスモータに流れる電流が増加する。
【００４３】
時刻ｔａで、電流検知回路６１１は電流の測定値が閾値を超えるとモード切替回路６１２にトリガ信号を出力する。モード切替回路６１２はトリガ信号を入力されると、パルス信号を停止するとともに、時間設定回路６１３により設定された期間Ｔを計時するタイマーをスタートさせる。これにより、スイッチング電源１００は、連続発振モードに移行する。期間Ｔは、シュレッダー６１０が動作を開始してからせん断処理が終了するまでの時間にマージンを加算して予め算出された値である。スイッチング電源１００は、間欠発振モードから連続発振モードに切り替わると、重い負荷に対しても十分な電流を供給することができるようになる。スイッチング電源１００が連続発振モードに移行すると、シュレッダー６１０は挿入されたシートに対してせん断処理を行い、せん断処理が終了すると停止する。せん断処理の終了はシュレッダー６１０自身が判断する。
【００４４】
時刻ｔｂで、シュレッダー６１０はせん断処理を終了して、待機状態に移行する。時刻ｔａから時刻ｔｂまでの時間はシートのサイズによって変化するが、時刻ｔａから時刻ｔｃまでの期間Ｔは不変である。
【００４５】
時刻ｔｃで、タイマーが期間Ｔのカウントを終了すると、モード切替回路６１２はパルス信号の出力を再開する。これにより、スイッチング電源１００は、間欠発振モードに移行する。時刻ｔｃ以降ではシュレッダー６１０が停止しているため、それほど多くの電流を必要としない。つまり、この電流は、間欠発振モードでも供給可能な程度の少ない電流である。よって、スイッチング電源１００は間欠発振モードにおいても十分な電流を供給できるといえる。
【００４６】
実施例２によれば、負荷がシュレッダーであっても、実施例１と同様の効果を奏することができる。つまり、実施例２のスイッチング電源１００は、負荷が待機状態にあるときの電源の効率を高めつつ、負荷が起動状態にあるときには大電流を供給できる。さらに、スイッチング電源１００は、起動直後に間欠発振モードに移行してしまうことを抑制しているため、負荷を安定して立ち上げることができる。
【００４７】
［実施例３］
実施例３は、負荷が穿孔装置（パンチ）であるケースである。図８を用いて実施例３について説明する。なお、実施例３で実施例１と共通する部分には同一の参照符号を付与することで説明の簡潔化を図る。
【００４８】
パンチ８１０はスイッチング電源装置から負荷として電流を受給するシート処理ユニットの一例である。また、パンチ８１０はスイッチング電源１００が出力する出力電圧Ｖｏｕｔを供給される負荷の一例である。よく知られているように、パンチ８１０はシート束などの物体が挿入されたことを検知する検知センサを備えており、物体を検知するとＤＣブラシレスモータが駆動して物体を穿孔処理する。穿孔処理においても、ＤＣブラシレスモータは、起動時状態で大きな電流が流れる。ＤＣブラシレスモータは、所定条件が満たされるとブレーキをかけられるかまたは給電を停止され、重負荷状態から軽負荷状態に遷移する。その後、ＤＣブラシレスモータは、定常回転状態に遷移する。検知センサが物体を検知したタイミングから穿孔処理が終了するタイミングまでの時間は設計上予測可能な時間である。穿孔処理後の待機状態では、パンチ８１０は、ほとんど電流を必要としない。
【００４９】
紙挿入検知回路８１１は負荷の動作を監視する監視回路の一例であり、負荷である装置に物体（例：シート）が挿入されたことを検知するとトリガ信号を出力する物体検知回路（例：シート検知回路）の一例である。紙挿入検知回路８１１はパンチ８１０にシート束が挿入されたか否かを検知するセンサ回路である。紙挿入検知回路８１１は電圧変換器の二次側に接続された負荷の動作開始を検知すると、トリガ信号を出力する動作開始検知回路の一例である。紙挿入検知回路８１１はパンチ８１０の一部であるが、図８では、便宜上、外部に存在するがごとく示されているにすぎない。紙挿入検知回路８１１は例えばフォトセンサなどで実現され、シート束が挿入されるとモード切替回路８１２にトリガ信号を出力する。時間設定回路８１３はパンチ８１０の動作開始から動作終了までの時間から予め決定された連続発振期間Ｔを保持している。
【００５０】
モード切替回路８１２はパンチ８１０が駆動していない待機状態ではパルス信号を出力することで、スイッチング電源１００を間欠発振モードに移行させる。紙挿入検知回路８１１からトリガ信号を入力されると、モード切替回路８１２は、パルス信号を停止するとともに、時間設定回路６１３により設定された期間Ｔを計時するタイマーをスタートさせる。これにより、スイッチング電源１００は、連続発振モードに移行する。
【００５１】
図９のタイミングチャートを用いて実施例３の動作を説明する。時刻ｔａで紙挿入検知回路８１１はパンチ８１０に紙が挿入されたことを検知してトリガ信号を出力する。モード切替回路８１２は、トリガ信号を入力されると、パルス信号を停止する。さらに、モード切替回路８１２は、時間設定回路６１３により設定された期間Ｔを計時するタイマーをスタートさせる。これにより、スイッチング電源１００は、連続発振モードに移行する。
【００５２】
時刻ｔ０で、パンチ８１０は駆動を開始する。時刻ｔａでスイッチング電源１００は連続発振モードに移行しているため、起動状態での大電流も十分に供給できる。なお、連続発振期間Ｔは、トリガ信号が出力されたタイミングから穿孔処理が終了するまでに必要となる時間にマージンを加算して得られた長さの時間である。つまり、パンチ８１０の設計段階や製造段階で求めることが可能な時間である。
【００５３】
時刻ｔｂで、パンチ８１０は穿孔処理を終了し、ＤＣブラシレスモータを停止させる。タイマーは期間Ｔの計時を時刻ｔｃに終了する。時刻ｔｃで、モード切替回路８１２はタイマーが停止したことを認識し、パルス信号の出力を再開する。これにより、スイッチング電源１００は、連続発振モードから間欠発振モードに切り替わる。時刻ｔｃ以降ではパンチ８１０が停止しているため、それほど多くの電流を必要としない。つまり、この電流は、間欠発振モードでも供給可能な程度の少ない電流である。よって、スイッチング電源１００は間欠発振モードにおいても十分な電流を供給できるといえる。
【００５４】
実施例２によれば、負荷がパンチであっても、実施例１や２と同様の効果を奏することができる。つまり、実施例３のスイッチング電源１００は、負荷が待機状態にあるときの電源の効率を高めつつ、負荷が起動状態にあるときには大電流を供給できる。さらに、スイッチング電源１００は、起動直後に間欠発振モードに移行してしまうことを抑制しているため、負荷を安定して立ち上げることができる。
【図１】
0005731874.tif 000002
【図２】
0005731874.tif 000003
【図３】
0005731874.tif 000004
【図４】
0005731874.tif 000005
【図５】
0005731874.tif 000006
【図６】
0005731874.tif 000007
【図７】
0005731874.tif 000008
【図８】
0005731874.tif 000009
【図９】
0005731874.tif 000010